(57)【特許請求の範囲】
【請求項１】
被検知ガスの検出動作及びその被検知ガスの濃度に基づく警報動作を電池駆動により行うガス警報器であって、
前記警報動作を行う警報部と、
一定時間を計測するタイマ部と、
電池残量を記憶する記憶部と、
前記警報部の動作状態に基づいて電池使用量を求めて、前記記憶部に記憶された前記電池残量と前記電池使用量とから最新の電池残量を求める演算部と、
前記演算部によって求められた前記最新の電池残量を表示する電池残量表示部と、を設け、
前記一定時間毎に前記警報部の動作状態をチェックし、
前記警報部が前記警報動作を行っているときは、警報フラグをセットすると共に前記一定時間を警報持続時間として積算し、
前記警報部が前記警報動作を行っておらず、かつ、前記警報フラグがセットされているときは、前記一定時間を前記警報持続時間に積算した上で、前記記憶部に記憶された電池残量と、前記警報動作の時間あたりの電池使用量及び積算された前記警報持続時間と、から前記最新の電池残量を求めて前記記憶部に記憶させると共に、その後、前記警報フラグのリセット及び前記警報持続時間のクリアを行い、
前記警報部が前記警報動作を行っておらず、かつ、前記警報フラグがセットされていないときは、前記記憶部に記憶された電池残量と、前記検出動作の時間あたりの電池使用量及び前記一定時間と、から前記最新の電池残量を求めて前記記憶部に記憶させるガス警報器。
【発明の詳細な説明】
【０００１】
【発明の属する技術分野】
本発明は、被検知ガスの検出及びその被検知ガスの濃度に基づく警報動作を電池駆動により行うガス警報器に関する。
【０００２】
【従来の技術】
近年、ガス検知素子の開発とともに、その小電力駆動化がすすみ、電池駆動されるガス検知器が用いられるようになってきている。また、この種のガス検知器のうち、電池がきれると重大な障害の発生が予想されるような用途に用いられるものには、電池残存容量（残量）の表示を行うことが考えられている。この際、前記電池残量は、電池交換時に想定される電池使用可能時間から、実際に前記ガス検知器の使用された通電使用時間を減算処理する事によって電池残量とし、その電池残量を表示することが考えられている。
しかし、この種のガス検知器のうち、警報動作を可能とするガス警報器の場合、通常のガス検出動作時と、警報動作時とで著しく使用電力量が異なり、電池残量は、単に通電使用時間で判断することは出来ない。
【０００３】
【発明が解決しようとする課題】
つまり、上述の従来の技術によれば、ガス警報器の電池の交換時期を正確に判断することが出来ないために、機器の使用中に電池切れになる問題を回避するためには、電池が切れるまでに十分余裕がある時期にその電池の交換をせざるを得ず、そのために、電池を有効利用できないという問題点があり、環境問題その他の側面から改善が望まれている。
【０００４】
従って、本発明の目的は、上記欠点に鑑み、電池残量が正確に把握でき、有効利用することのできるガス警報器を提供することにある。
【０００５】
【課題を解決するための手段】
この目的を達成するための本発明の被検知ガスの検出及びその被検知ガスの濃度に基づく警報動作を電池駆動により行うガス警報器の特徴構成は、
前記警報動作を行う警報部と、
一定時間を計測するタイマ部と、
電池残量を記憶する記憶部と、
前記警報部の動作状態に基づいて電池使用量を求めて、前記記憶部に記憶された前記電池残量と前記電池使用量とから最新の電池残量を求める演算部と、
前記演算部によって求められた前記最新の電池残量を表示する電池残量表示部と、を設け、
前記一定時間毎に前記警報部の動作状態をチェックし、
前記警報部が前記警報動作を行っているときは、警報フラグをセットすると共に前記一定時間を警報持続時間として積算し、
前記警報部が前記警報動作を行っておらず、かつ、前記警報フラグがセットされているときは、前記一定時間を前記警報持続時間に積算した上で、前記記憶部に記憶された電池残量と、前記警報動作の時間あたりの電池使用量及び積算された前記警報持続時間と、から前記最新の電池残量を求めて前記記憶部に記憶させると共に、その後、前記警報フラグのリセット及び前記警報持続時間のクリアを行い、
前記警報部が前記警報動作を行っておらず、かつ、前記警報フラグがセットされていないときは、前記記憶部に記憶された電池残量と、前記検出動作の時間あたりの電池使用量及び前記一定時間と、から前記最新の電池残量を求めて前記記憶部に記憶させる点にある。
【０００６】
〔作用効果〕
一定時間ごとに警報部の動作状態をチェックするため、前記被検知ガスの検出動作時間あたりの電池使用量（Ａ）と一定時間(ｋ）と、または、前記警報動作時間あたりの電池使用量（Ｂ）と警報持続時間（ｔｂ）と、に基づき、最新の電池残量がリアルタイムに電池残量表示部に表示される。電池の使用量は、時間あたりの使用量と使用時間の積として求めることが出来るから、たとえば、
Ｒ２＝Ｒ１−Ａ・ｋ
または、
Ｒ２＝Ｒ１−Ｂ・ｔｂ
を求めることにより、Ｒ２を現在の電池残量として求めることが出来る。
尚、前記記憶部が初期の電池残量を記憶するものであれば、前記検出動作時間及び警報動作時間は、電池交換時からの総動作時間として与えればよく、前記記憶部が現在の電池残量を記憶するものであれば、前記検出動作時間及び警報動作時間は、その現在の電池残量を記憶部に記憶させる更新時間であればよく、検出動作時と警報動作時とで、更新動作を異ならせる場合、それぞれ別個に設定するなど、種々の形態を採用することが出来る。
このようにして求められた現在の電池残量は電池残量表示部によりガス警報器に表示することが出来使用者にその電池の交換時期を報知することが可能となる。
従って、単に電池残量を従来の技術のようにガス警報器の使用時間で判断するのではなく、使用電力量によって求めることが出来るようになるから、このようにして求められた電池残量はより正確なものとなり、使用者は電池の交換時期を正確に判断することが出来るようになる。そのため、機器の使用中に電池切れになる問題を回避するために、電池が切れるまでに十分余裕がある時期にその電池の交換をせざるを得ず、電池を有効利用できないというような上述の問題を派生しにくくなった。
【０００７】
【発明の実施の形態】
以下に本発明の実施の形態を図面に基づいて説明する。
図１に示すように、本発明のガス警報装置は、ガス検知素子をガス検知回路に組み込んでなるセンサ部１と、前記センサ部１からの出力信号を受けて検知対象ガス中の被検知ガスの濃度を知る検出動作部２とを備え、前記検出動作部２により検出された出力信号が、前記検知対象ガス中の被検知ガス濃度が警報を必要とする警報濃度に達していると判断される場合に警報音等を発生させ、周囲に被検知ガスが警報濃度以上に存在していることを報知する警報部３を備える。
【０００８】
また、前記検出動作部２と、前記警報部３には、その動作時間を計測するタイマ部４を設けてあり、電池残量を記憶する記憶部５からの電池残量情報と、前記タイマ部４からの動作時間情報とに基づき、現在の電池残量を求める演算部６を設けてある。さらに、電池残量表示部７が設けてあり、前記演算部６による演算結果がリアルタイムで表示される構成としてある。
【０００９】
以下、本発明のガス警報装置における前記演算部６の電池残量算出手順の一例をフロー図に従って説明する。
【００１０】
【実施例】
図２に示すように、演算部は所定時間（ｋ）ごとに現在の電池残量を求める。
＃１  まず現在の電池残量を表示するとともに、時間（ｋ）ごとに警報部３の動作状態をチェックする。
＃２  警報部が動作している場合は、警報部３が動作したことを示す警報フラグをセットするとともに、警報音の持続時間を積算する。
＃３  警報部の作動していない場合、警報フラグの有無をチェックする。
警報フラグがなければ、表示中の電池残量から、（前記被検知ガスの検出動作時間あたりの電池使用量（Ａ））×ｋを減算処理して新たに現在の電池残量として＃１に戻る。（検出動作による電池残量の減算）
警報フラグがある場合、（前記警報動作時間あたりの電池使用量（Ｂ））×（＃２で積算された警報音の持続時間）を表示中の電池残量から減算処理する。この後、前記警報音の持続時間をクリアするとともに警報フラグをリセットし、新たに現在の電池残量として＃１に戻る。（警報動作による電池残量の減算）
これにより、前記記憶部には、現在の電池残量が更新されることになり、使用電気量が電池残量に正確に反映させられ、電池の交換時期を的確に判断できるようになった。
【図面の簡単な説明】
【図１】    本発明の警報装置のブロック図
【図２】  本発明の警報装置に用いられる演算部の演算処理を示すフロー図
【符号の説明】
１  センサ部
２  検出動作部
３  警報部
４  タイマ部
５  記憶部
６  演算部
７  電池残量表示部
【図１】
0004580056.tif 000002
【図２】
0004580056.tif 000003